(57)【特許請求の範囲】
【請求項１】
冷却空間、第１の貯蔵空間及び前記第１の貯蔵空間下方に配置される第２の貯蔵空間を有する筐体と、
前記筐体に取り付けられ、その後側を前記冷却空間とし、その前面側を前記第２の貯蔵空間とし、収納室、複数の空気通路、及び複数の開口が前方へ開設され前記第２の貯蔵空間へ送風するための送風口を有し、前記複数の空気通路は第１の空気通路及び複数の第２の空気通路を含む空気通路部材と、
前記収納室内に取付けられ、前記筐体の縦方向に沿って延出する周壁部を有し、前記周壁部上に複数の空気出口が配置され、前記複数の空気出口は第１の空気出口及び複数の第２の空気出口を含む分流送風装置と、を含み、
前記第１の空気通路は前記第１の空気出口と前記第１の貯蔵空間とを連通するように構成され、
各前記第２の空気通路は１つの前記第２の空気出口と１つまたは複数の前記送風口とを連通するように構成され、且つ各前記第２の空気出口が少なくとも１つの前記第２の空気通路と連通し、
前記空気通路部材は、リアケース部及び前記リアケース部の前面側に取付けられるフロントカバーを含み、前記収納室及び複数の前記空気通路は前記リアケース部及び前記フロントカバーによって区画され、複数の前記送風口が前記フロントカバー上に配置され、
前記リアケース部は、リアケース及び前記リアケース内に配置される少なくとも１つの空気通路架橋部材を含み、該空気通路架橋部材の前面側の前記空気通路が該空気通路架橋部材の後側の前記空気通路を迂回するように、各前記空気通路架橋部材の前後両側によって１つの前記空気通路の一部又は全部を区画し、
前記リアケースは、後壁と、前記後壁の中央部または上部から前方へ延出する収納室壁と、前記後壁から後へ延出する第１の空気通路壁と、前記後壁から前方へ延出する第２の空気通路壁とを有し、前記空気通路架橋部材は１つであり、前記リアケースの上部に取付けられ、第３の空気通路壁及び前記第３の空気通路壁から前方へ延出する第４の空気通路壁を有し、且つ前記後壁、前記収納室壁及び前記空気通路架橋部材ならびに前記フロントカバーによって前記収納室を区画し、前記第３の空気通路壁の後側と前記第１の空気通路壁によって前記収納室と連通する前記第１の空気通路を区画し、そして前記第１の空気通路が前記収納室から前記収納室の後上方へ延出し、前記後壁、前記第２の空気通路壁、前記第３の空気通路壁の前面側及び前記第４の空気通路壁ならびに前記フロントカバーによって各前記第２の空気通路を区画し、
複数の前記第２の空気出口は、空気出口１及び空気出口２を含み、前記第１の空気出口が前記周壁部の上側に配置され、前記空気出口１及び前記空気出口２が前記第１の空気出口の両側に配置され、複数の前記第２の空気通路は空気通路１、空気通路２、空気通路３及び空気通路４を含み、前記空気通路１が前記空気出口１から斜め上方に前記リアケースの上部の横方向の一方側に延出し、前記空気通路２が前記空気出口１から上方へ延出した後に前記空気通路架橋部材を越えて前記第１の空気通路から前記リアケースの上部の横方向の他方側へ延出し、その後下方へ延出し、前記空気通路３及び前記空気通路４がともに前記空気出口２から下方へ延出し、且つ前記空気通路３の端部及び前記空気通路４の端部が前記リアケースの下部の横方向の両側に位置し、または、前記空気出口２から下方向に空気通路全体の外まで延出し、前記空気通路３及び前記空気通路４が前記空気通路全体の端部からそれぞれ前記空気通路部材の下部の横方向の両側へ延出することを特徴とする冷蔵庫。
【請求項２】
該第２の空気出口から流出した気流が前記第２の貯蔵空間の後部の横方向の両側に流れるように、一部又は全部の前記第２の空気出口中の各前記第２の空気出口が少なくとも２つの前記送風口と連通することを特徴とする請求項１に記載の冷蔵庫。
【請求項３】
複数の前記送風口は、前記フロントカバーの横方向の一方側に位置し、鉛直方向上側から間隔を空けて配置される第１の送風口、第２の送風口、第３の送風口、第４の送風口と、前記フロントカバーの横方向の他方側に位置し、鉛直方向上側から間隔を空けて配置される第５の送風口、第６の送風口、第７の送風口、第８の送風口とを含み、前記空気通路１が前記第１の送風口及び前記第２の送風口と連通し、前記空気通路２が前記第５の送風口及び前記第６の送風口と連通し、前記空気通路３が前記第３の送風口及び前記第４の送風口と連通し、前記空気通路４が前記第７の送風口及び前記第８の送風口と連通することを特徴とする請求項１又は２に記載の冷蔵庫。
【請求項４】
前記第２の貯蔵空間は上から下に順に配置される上層トレイ空間、上層引き出し空間、下層トレイ空間及び下層引き出し空間を含み、且つ前記第１の送風口及び前記第５の送風口が前記上層トレイ空間と連通し、前記第２の送風口及び前記第６の送風口が前記上層引き出し空間と連通し、前記第３の送風口及び前記第７の送風口が前記下層トレイ空間と連通し、前記第４の送風口及び前記第８の送風口が前記下層引き出し空間と連通することを特徴とする請求項３に記載の冷蔵庫。
【請求項５】
前記リアケース部の下端に、前方へ延出した後前下方向へ延出する空気戻り通路部を有し、前記空気戻り通路部は１本又は複数本の空気戻り通路を有し、一部の前記空気通路内に１つまたは複数のデフレクタがさらに配置されることを特徴とする請求項２に記載の冷蔵庫。
【請求項６】
前記分流送風装置は、
気流を前記冷却空間から前記周壁部内へ流入させるように構成されるファンと、
前記周壁部に対して回転可能に前記周壁部内に配置され、前記複数の空気出口のそれぞれの送風面積を調整するために異なる移動位置で各前記空気出口を完全に遮蔽、部分的遮蔽または完全に露出させるように構成される調整部とを更に含むことを特徴とする請求項１に記載の冷蔵庫。
【発明の詳細な説明】
【技術分野】
【０００１】
本出願は、出願日が２０１７年０６月２９日であり、出願番号が２０１７１０５１７９５１．Ｘであり、発明名称が「冷蔵庫」である中国特許出願の優先権を主張し、当該出願の全文が引用により本出願に組み込まれる。
【０００２】
本発明は、冷蔵冷凍貯蔵の分野に関し、特に冷蔵庫に関する。
【背景技術】
【０００３】
近年、人々の生活水準の向上および環境意識の高まりに伴い、冷蔵庫に対する要求は、低温冷蔵の保存性能から食品の鮮度保持性能へと移行している。したがって、空冷式冷蔵庫は徐々に人々に好まれている。空冷式冷蔵庫の場合に、食品の鮮度保持性能は、空冷式冷蔵庫の貯蔵区画内の気流循環および庫内の様々な部分間の温度差に高く左右される。庫内の気流は合理的で、温度差が小さければ小さいほど、冷蔵庫の鮮度保持性能は良くなる。冷蔵庫の気流サイクルが妥当であるかどうかを決定する重要な要素は、風が貯蔵室の妥当な場所にどのように供給されるかを決定する空気通路である。現在、市販されている空冷式冷蔵庫の気道設計では、ほとんどの空冷式冷蔵庫は別々の収納室に蒸発器を備えており、これは複雑な送風管システムを使用して蒸発器の収納室を各貯蔵空間に接続する必要があるので、既存の空気通路システムの設計は比較的複雑であり、構造は大型化になり、そして既存の空気通路システムの構造の制限に起因して意図する位置に送風することができなくなる。
【発明の概要】
【発明が解決しようとする課題】
【０００４】
本発明は、既存の空冷式冷蔵庫の欠点の少なくとも１つを克服し、冷蔵庫の構造・設計が合理的で効率的な空気供給を可能にする特別な空気通路システムを有する新規な冷蔵庫を提供することを目的とする。
【課題を解決するための手段】
【０００５】
特に、本発明は、
冷却空間、第１の貯蔵空間及び前記第１の貯蔵空間下方に配置される第２の貯蔵空間を有する筐体と、
前記筐体に取り付けられ、その後側を前記冷却空間とし、その前面側を前記第２の貯蔵空間とし、収納室、複数の空気通路、及び複数の開口が前方へ開設され前記第２の貯蔵空間へ送風するための送風口を有し、前記複数の空気通路は第１の空気通路及び複数の第２の空気通路を含む空気通路部材と、
前記収納室内に取付けられ、前記筐体の縦方向に沿って延出する周壁部を有し、前記周壁部上に複数の空気出口が配置され、前記複数の空気出口は第１の空気出口及び複数の第２の空気出口を含む分流送風装置と、を含み、
前記第１の空気通路は前記第１の空気出口と前記第１の貯蔵空間とを連通するように構成され、
各前記第２の空気通路は１つの前記第２の空気出口と１つまたは複数の前記送風口とを連通するように構成され、且つ各前記第２の空気出口が少なくとも１つの前記第２の空気通路と連通し、
前記空気通路部材は、リアケース部及び前記リアケース部の前面側に取付けられるフロントカバーを含み、前記収納室及び複数の前記空気通路は前記リアケース部及び前記フロントカバーによって区画され、複数の前記送風口が前記フロントカバー上に配置され、
前記リアケース部は、リアケース及び前記リアケース内に配置される少なくとも１つの空気通路架橋部材を含み、該空気通路架橋部材の前面側の前記空気通路が該空気通路架橋部材の後側の前記空気通路を迂回するように、各前記空気通路架橋部材の前後両側によって１つの前記空気通路の一部又は全部を区画し、
前記リアケースは、後壁と、前記後壁の中央部または上部から前方へ延出する収納室壁と、前記後壁から後へ延出する第１の空気通路壁と、前記後壁から前方へ延出する第２の空気通路壁とを有し、前記空気通路架橋部材は１つであり、前記リアケースの上部に取付けられ、第３の空気通路壁及び前記第３の空気通路壁から前方へ延出する第４の空気通路壁を有し、且つ前記後壁、前記収納室壁及び前記空気通路架橋部材ならびに前記フロントカバーによって前記収納室を区画し、前記第３の空気通路壁の後側と前記第１の空気通路壁によって前記収納室と連通する前記第１の空気通路を区画し、そして前記第１の空気通路が前記収納室から前記収納室の後上方へ延出し、前記後壁、前記第２の空気通路壁、前記第３の空気通路壁の前面側及び前記第４の空気通路壁ならびに前記フロントカバーによって各前記第２の空気通路を区画し、
複数の前記第２の空気出口は、空気出口１及び空気出口２を含み、前記第１の空気出口が前記周壁部の上側に配置され、前記空気出口１及び前記空気出口２が前記第１の空気出口の両側に配置され、複数の前記第２の空気通路は空気通路１、空気通路２、空気通路３及び空気通路４を含み、前記空気通路１が前記空気出口１から斜め上方に前記リアケースの上部の横方向の一方側に延出し、前記空気通路２が前記空気出口１から上方へ延出した後に前記空気通路架橋部材を越えて前記第１の空気通路から前記リアケースの上部の横方向の他方側へ延出し、その後下方へ延出し、前記空気通路３及び前記空気通路４がともに前記空気出口２から下方へ延出し、且つ前記空気通路３の端部及び前記空気通路４の端部が前記リアケースの下部の横方向の両側に位置し、または、前記空気出口２から下方向に空気通路全体の外まで延出し、前記空気通路３及び前記空気通路４が前記空気通路全体の端部からそれぞれ前記空気通路部材の下部の横方向の両側へ延出する冷蔵庫を提供する。
【０００６】
また、該第２の空気出口から流出した気流が前記第２の貯蔵空間の後部の横方向の両側に流れるように、一部又は全部の前記第２の空気出口中の各前記第２の空気出口が少なくとも２つの前記送風口と連通してもよい。
【００１１】
また、複数の前記送風口は、前記フロントカバーの横方向の一方側に位置し、鉛直方向上側から間隔を空けて配置される第１の送風口、第２の送風口、第３の送風口、第４の送風口と、前記フロントカバーの横方向の他方側に位置し、鉛直方向上側から間隔を空けて配置される第５の送風口、第６の送風口、第７の送風口、第８の送風口とを含み、前記空気通路１が前記第１の送風口及び前記第２の送風口と連通し、前記空気通路２が前記第５の送風口及び前記第６の送風口と連通し、前記空気通路３が前記第３の送風口及び前記第４の送風口と連通し、前記空気通路４が前記第７の送風口及び前記第８の送風口と連通してもよい。
【００１２】
また、前記第２の貯蔵空間は上から下に順に配置される上層トレイ空間、上層引き出し空間、下層トレイ空間及び下層引き出し空間を含み、且つ前記第１の送風口及び前記第５の送風口が前記上層トレイ空間と連通し、前記第２の送風口及び前記第６の送風口が前記上層引き出し空間と連通し、前記第３の送風口及び前記第７の送風口が前記下層トレイ空間と連通し、前記第４の送風口及び前記第８の送風口が前記下層引き出し空間と連通してもよい。
【００１３】
また、前記リアケース部の下端に、前方へ延出した後前下方向へ延出する空気戻り通路部を有し、前記空気戻り通路部は１本又は複数本の空気戻り通路を有し、一部の前記空気通路内に１つまたは複数のデフレクタがさらに配置されてもよい。
【００１４】
また、前記分流送風装置は、
気流を前記冷却空間から前記周壁部内へ流入させるように構成されるファンと、
前記周壁部に対して回転可能に前記周壁部内に配置され、前記複数の空気出口のそれぞれの送風面積を調整するために異なる移動位置で各前記空気出口を完全に遮蔽、部分的遮蔽または完全に露出させるように構成される調整部とを更に含んでもよい。
【発明の効果】
【００１５】
本発明の冷蔵庫は、空気通路部材及び分流送風装置を有し、空気通路部材の特別な構造及び特別な配置位置によって、気流が貯蔵空間の複数の位置に流入するのを容易にし、送風位置の設計に特に便利であり、合理的な位置まで送風可能である。そして、各空気通路の流路は比較的短く、風抵抗を著しく減少させ、送風円滑性を改善し、食品のための最適化貯蔵環境を提供し、食品の栄養損失を減少し、且つ冷蔵庫の電力消費を減らして、エネルギーを節約でき、騒音を減少することができる。
【００１６】
また、本発明の冷蔵庫では、分流送風装置が調整部を有するので、一部又は全部の送風口の気流量を調整可能になり、ひいては貯蔵空間への冷気を調整でき、例えば既存の空冷式冷蔵庫のファンや複数のダンパー等の構成を省略することができる。また、貯蔵空間の送風量を一括制御し、合理的に送風量を分配し、冷蔵庫の冷却効果及び鮮度保持効果を改善することができる。分流送風装置内のファンの設計によって、冷蔵庫の構造をさらにコンパクトにすることができ、貯蔵空間の容積を効果的に拡大することができる。特に、冷蔵庫の冷凍室内の異なる領域における送風量を調整可能であり、食品の最適化貯蔵環境を提供し、食品の栄養損失を減少し、そして冷蔵庫の電力消費を減らしエネルギーを節約することができる。
【図面の簡単な説明】
【００１７】
【図１】本発明の一実施形態による冷蔵庫の模式的構造図である。
【図２】図１に示す冷蔵庫における分流送風装置が空気通路部材に取付けられた状態の模式的構造図である。
【図３】図２に示す構造の模式的分解図である。
【図４】分流送風装置がリアケース部に取付けられた状態の模式的構造図である。
【発明を実施するための形態】
【００１８】
以下、図面に示す具体的な実施形態によって本発明を詳しく説明するが、本発明はこれらの実施形態に限定されず、これらの実施形態に基づき当業者が想到した構造、方法、或機能上の変形は全て本発明の保護範囲に含まれる。
【００１９】
図１は本発明の一実施形態による冷蔵庫の模式的構造図である。図１、図２及び図３を参照し、本発明の実施形態は冷蔵庫を提供している。該冷蔵庫は筐体１００、分流送風装置３００及び空気通路部材２００及び冷却システムを含む。筐体１００内に冷却空間、第１の貯蔵空間１１０及び第１の貯蔵空間１１０の下方に配置される第２の貯蔵空間１３０を有する。冷却システムは圧縮式冷却システムであり、冷却空間内に配置される蒸発器を有する。当業者が良く知られているように、冷却システムは半導体冷却システムのような他の種類の冷却システムであっても良く、半導体冷却システムのコールドエンドディフューザが冷却空間内に配置され得る。
【００２０】
空気通路部材２００は筐体１００に取付けられ、空気通路部材２００の後側が冷却空間であり、空気通路部材２００の前面側が第２の貯蔵空間１３０であることが好ましい。図２及び図３に示すように、空気通路部材２００内に分流送風装置３００を収納するための収納室と、複数の空気通路と、複数の開口が前方へ開設され第２の貯蔵空間１３０へ送風するための送風口２３０とを含む。複数の空気通路は第１の空気通路２４１及び複数の第２の空気通路を含む。
【００２１】
図３に示すように、分流送風装置３００は空気通路部材２００の収納室内に取付けられる。分流送風装置３００は筐体１００の縦方向に沿って延出する周壁部と、周壁部の前端に配置される第１の軸方向端部と、周壁部の後端に配置される第２の軸方向端部とを有し得る。第２の軸方向端部に空気入口が開設される。周壁部は筐体１００の縦方向に沿って延出し、即ち周壁部の軸線方向は筐体１００の縦方向に沿って延出する。周壁部上に複数の空気出口が配置される。複数の空気出口は第１の空気出口３１０及び複数の第２の空気出口３２０を含む。
【００２２】
第１の空気通路２４１は第１の空気出口３１０と第１の貯蔵空間１１０を連通するように構成される。各第２の空気通路は１つの第２の空気出口３２０と１つまたは複数の送風口２３０を連通するように構成され、且つ各第２の空気出口３２０は少なくとも１つの第２の空気通路と連通する。即ち、冷却空間から流出した気流が分流送風装置３００の第１の空気出口３１０及び第１の空気通路２４１を介して第１の貯蔵空間１１０に流れる。冷却空間から流出した気流が分流送風装置３００の複数の第２の空気出口３２０及び複数の第２の空気通路を介して第２の貯蔵空間１３０に流れ、且つ１つの第２の空気出口３２０を介して流出した気流が１つまたは複数の第２の空気通路に流入し得、各第２の空気通路内の気流が少なくとも１つの送風口２３０を介して第２の貯蔵空間に流れ、このようにして冷気が第２の貯蔵空間１３０の後部の複数の位置に流れる。
【００２３】
本発明のいくつかの実施形態では、一部又は全部の第２の空気出口３２０中の各第２の空気出口３２０は少なくとも２つの送風口２３０と連通し、該第２の空気出口３２０から流出した気流を第２の貯蔵空間１３０の後部の横方向の両側へ流入させ、気流を貯蔵室内に均一に分配する。
【００２４】
本発明のいくつかの実施形態では、図２及び図３に示すように、空気通路部材２００はリアケース部２１０及びリアケース部２１０の前面側に取付けられるフロントカバー２２０を含む。収納室及び複数の空気通路はリアケース部２１０及びフロントカバー２２０によって区画される。複数の送風口２３０がフロントカバー２２０上に配置される。フロントカバー２２０はリアケース部２１０に嵌め込まれて、ネジ等の固定手段によってさらに固定されてもよい。リアケース部２１０が筐体１００に嵌め込まれる。
【００２５】
複数の空気通路のレイアウトを容易にするために、リアケース部２１０はリアケース２１１及びリアケース２１１内に配置される少なくとも１つの空気通路架橋部材２１２を含む。各空気通路架橋部材２１２の前後両側は、該空気通路架橋部材２１２の前面側の空気通路が該空気通路架橋部材２１２後側の空気通路を迂回するように、１つの空気通路の一部又は全部を区画する。リアケース２１１と空気通路架橋部材２１２とは一体的に射出成形されても良く、単独成形されて組立してもよいが、送風装置３００等を容易に取付けるために、単独成形の方がより好ましい。
【００２６】
本発明のいくつかの具体的な実施形態では、図３及び図４に示すように、リアケース２１１は、後壁２１１１と、後壁２１１１の中央部または上部から前方へ延出する収納室壁２１１２と、後壁２１１１から後方へ延出する第１の空気通路壁２１１３と、後壁２１１１から前方へ延出する第２の空気通路壁２１１４とを含む。空気通路架橋部材２１２は１つであり、リアケース２１１の上部に取付けられ、第３の空気通路壁２１２１及び第３の空気通路壁２１２１から前方へ延出する第４の空気通路壁２１２２を有する。そして後壁２１１１、収納室壁２１１２及び空気通路架橋部材２１２ならびにフロントカバー２２０によって収納室を区画する。第３の空気通路壁２１２１の後側と第１の空気通路壁２１１３によって収納室と連通する第１の空気通路２４１を区画し、且つ第１の空気通路２４１が収納室から収納室の後上方へ延出する。後壁２１１１、第２の空気通路壁２１１４、第３の空気通路壁２１２１の前面側及び第４の空気通路壁２１２２ならびにフロントカバー２２０によって各第２の空気通路を区画する。
【００２７】
本発明のいくつかの先進的な実施形態では、複数の第２の空気出口３２０は空気出口１及び空気出口２を含み、第１の空気出口３１０が周壁部の上側に配置され、空気出口１及び空気出口２が第１の空気出口３１０の両側に配置される。複数の第２の空気通路は空気通路１２４２、空気通路２２４３、空気通路３２４４及び空気通路４２４５を含む。空気通路１２４２は空気出口１から斜め上方にリアケース２１１の上部の横方向の一方側まで延出する。空気通路２２４３は空気出口１から上方へ延出した後、空気通路架橋部材２１２上に第１の空気通路２４１を越えてリアケース２１１の上部の横方向の他方側へ延出し、その後下方へ延出する。空気通路３２４４及び空気通路４２４５は空気出口２から下方へ延出し、且つ空気通路３２４４の端部及び空気通路４２４５の端部がリアケース２１１の下部の横方向の両側に位置し、または、空気出口２から下方に空気通路全体の外まで延出し、空気通路３２４４及び空気通路４２４５は空気通路全体の端部からそれぞれ空気通路部材２００の下部の横方向の両側へ延出する。本発明のいくつかの代替の実施形態では、空気通路２２４３は空気通路１２４２の上端から延出し、即ち、空気通路２２４３及び空気通路１２４２は実際には１つの第２の空気通路である。
【００２８】
本発明のいくつかの実施形態では、第１の貯蔵空間１１０は冷蔵空間であり、第２の貯蔵空間１３０は冷凍空間である。好ましくは、第２の貯蔵空間１３０は上下に配置される４層の空間に分割される。いくつかの実施形態では、上下順に配置される４層の空間は、この順に上層トレイ空間、上層引き出し空間、下層トレイ空間及び下層引き出し空間を指す。上層トレイ空間及び下層トレイ空間に１つのトレイが取付けられ、上層引き出し空間及び下層引き出し空間に１つの引き出しが取付けられる。さらに、冷蔵空間と冷凍空間との間に１つの温度可変空間１２０が配置され、仕切りによって分離され、上層引き出し空間と下層トレイ空間の間にも仕切りが配置される。いくつかの代替の実施形態では、上下順に配置される４層の空間は仕切りだけによって分離されてもよい。
【００２９】
複数の送風口２３０は、フロントカバーの横方向の一方側に配置され、鉛直方向上方から離間して配置される第１の送風口２３１と、第２の送風口２３２、第３の送風口２３３、第４の送風口２３４と、フロントカバーの横方向の他方側に配置され、鉛直方向上方から離間して配置される第５の送風口２３５、第６の送風口２３６、第７の送風口２３７、第８の送風口２３８とを含む。空気通路１２４２は第１の送風口２３１及び第２の送風口２３２と連通し、空気通路２２４３は第５の送風口２３５及び第６の送風口２３６と連通し、空気通路３２４４は第３の送風口２３３及び第４の送風口２３４と連通し、空気通路４２４５は第７の送風口２３７及び第８の送風口２３８と連通する。また、第１の送風口２３１及び第５の送風口２３５は上層トレイ空間と連通し、第２の送風口２３２及び第６の送風口２３６は上層引き出し空間と連通し、第３の送風口２３３及び第７の送風口２３７は下層トレイ空間と連通し、第４の送風口２３４及び第８の送風口２３８は下層引き出し空間と連通する。
【００３０】
本発明の実施形態の冷蔵庫は、空気通路部材２００の構造及び配置位置を設計することによって、異なる空気通路を介して冷蔵庫の各空間内に冷気を送り、分流送風装置３００とともに使用され、冷蔵空間及冷凍空間の単独制御を実現でき、各層の冷凍空間の温度をリアタイムに調整でき、冷蔵庫の冷凍鮮度保持性能が向上し、食品の栄養素の損失を避け、電力消費量を減少し、エネルギーを節約することができる。
【００３１】
本発明のいくつかの先進的な実施形態では、各送風口２３０は水平縦方向に延出する細長い送風口であり得る。各送風口２３０内にも仕切りが配置され、送風口２３０を複数の送風穴とすることができる。部分空気通路内に１つまたは複数のデフレクタ２１４も配置されている。さらに、リアケース部２１０の下端に、筐体１００の下部の圧縮機室に適応するように、前方へ延出した後前下方へ延出する空気戻り通路部２５０を有する。空気戻り通路部２５０は、１本又は複数本の空気戻り通路２５１を有する。
【００３２】
本発明のいくつかの実施形態では、リアケース２１１の後壁２１１１は、中下壁部、上壁部及び連結壁部を含み得る。中下壁部は上壁部の前面側に位置し、連結壁部は中下壁部の上端と上壁部の下端を連結する。このような配置によって、蒸発器等を配置するための大きなスペースを提供し、分流送風装置３００の取付けを容易にして、その設計が特に合理的である。本発明のいくつかの代替の実施形態では、リアケース２１１の後壁２１１１は、中下壁部及び上壁部を含み得る。中下壁部の上端は上壁部の下端に連結される。中下壁部の後面は、蒸発器を配置するためのスペースを提供するために前方に窪んでもよい。
【００３３】
本発明のいくつかの実施形態では、分流送風装置３００は、冷却空間から空気入口を介して周壁部に気流を流入させるように構成されるファンを更に含む。ファンは遠心ファンであることが好ましい。分流送風装置３００のおけるファンの設計は、冷蔵庫の構造をさらにコンパクトにすることができ、貯蔵空間の容積を効果的に拡大することができる。本発明のいくつかの好ましい実施形態では、分流送風装置３００は、周壁部に対して回転可能に周壁部内に配置され、異なる移動位置で各空気出口を完全に遮蔽、部分的遮蔽または完全に露出させ、複数の空気出口それぞれの送風面積を調整する調整部を更に含む。調整部を配置することによって、貯蔵空間の送風量を一括制御でき、合理的に送風量を分配し、冷蔵庫の冷却効果及び鮮度保持効果を向上させることができる。
【００３４】
本発明のいくつかの実施形態では、周壁部はこのましくは円筒形状であり、第１の軸方向端部及び第２の軸方向端部の一方と一体的に成形され、他方は周壁部に嵌め込されてもよい。周壁部、第１の軸方向端部及び第２の軸方向端部の全体構造は、分流送風装置３００のハウジングとも呼ばれる。
【００３５】
本発明のいくつかの実施形態では、調整部は、第１の軸方向端部の周方向に間隔を空けて配置される１つまたは複数の遮蔽部、及び少なくとも１つの循環部を含み得る。遮蔽部及び循環部は、第１の軸方向端部の周方向に沿って順次配置され、１つまたは複数の遮蔽部及び少なくとも１つの循環部は円筒形状構造を取り囲む。また、調整部は周壁部の内側に配置され、異なる回転位置に回転すると、１つまたは複数の遮蔽部によって各空気出口を完全に遮蔽、部分的遮蔽または完全に露出させ、少なくとも１つの循環部を介して部分的遮蔽または完全に露出した空気出口に気流を流入させる。
【００３６】
具体的には、遮蔽部を遮蔽片とし、隣接する遮蔽片同士の間隔、切り欠けまたは穴を循環部とすることができ、特に、遮蔽部が１つしかない場合に、対応する循環部も１つだけとなる。例えば、調整部は、基部と、基部上に配置される遮蔽片とを含んでもよい。他の例として、調整部は管状部材を含み、管状部材上に複数の循環部が開設される。強度を高めるために、管状部材の両端にも基部を配置することができる。さらに、基部は第１の軸方向端部または第２の軸方向端部に回転可能に取付けられる。例えば、第１の軸方向端部または第２の軸方向端部の内面に環状溝を設け、この環状溝が挿入する回転用の環状突起を基部に設けてもよい。あるいは、基部が周壁部の一端に回転可能に取付けられ、周壁部が第１の軸方向端部と一体的に成形されている場合に、基部は周壁部の靠近第２の軸方向端部の一端に回転可能に取付けられる。
【００３７】
本発明のいくつかの実施形態では、分流送風装置３００はまたモータ及び伝達機構を含み得る。モータは、周壁部の径方向外側に配置され得る。伝達機構は、モータの回転移動出力を調整部へ伝達するように構成されている。例えば、伝達機構をギア伝達機構とし、調整部の基部上にリングギア（リングギアが基部と一体的に成形され）が配置され、モータの出力端にギアが取付けられ、ギアとリングギアの噛み合いによってモータはリングギアを駆動し回転させ、ひいては調整部を駆動して回転させる。さらに、周壁部の外側にもモータを収納するためのモータ収納部が配置され得る。
【００３８】
本発明のいくつかの具体的な実施形態では、空気出口１、第１の空気出口３１０及び空気出口２は、第１の軸方向端部の周方向、且つ反時計回り方向（観察者によって第１の軸方向端部から第２の軸方向端部を見る視線を基準とし、即ち前後方向に観察する視線を基準とする）に沿って順次に間隔を空けて配置される。そして、空気出口１と他の２つの空気出口の間の距離は、１つの空気出口の長さとすることができる。調整部において、遮蔽部及び循環部の数は３つである。３つの遮蔽部は、それぞれ第１の遮蔽部、第２の遮蔽部及び第３の遮蔽部である。３つの循環部は、それぞれ第１の循環部、第２の循環部及び第３の循環部である。遮蔽部及び循環部は、第１の軸方向端部の周方向、且つ反時計回り方向に沿って順次に間隔を空けて配置される。第１の遮蔽部及び第２の遮蔽部は、１つの空気出口の領域を完全に遮蔽するように構成される。第３の遮蔽部は、少なくとも２つ空気出口の領域を完全に遮蔽し、例えば第３の遮蔽部は２つの空気出口の領域を遮蔽するように構成される。第１の遮蔽部と第２の遮蔽部の間の循環部は第１の循環部であり、１つの空気出口の領域を完全に露出させるように構成される。第２の遮蔽部と第３の遮蔽部の間の循環部は第２の循環部であり、１つの空気出口の領域を完全に露出させるように構成される。第３の遮蔽部と第１の遮蔽部の間の循環部は第３の循環部である。動作する場合に、調整部の回転によって異なる空気出口を開き状態にするし、例えば第１の遮蔽部は第１の空気出口３１０を遮蔽すると、空気出口１及び空気出口２は開き状態になり、また第２の遮蔽部は第１の空気出口３１０を遮蔽すると、空気出口１及び空気出口２は閉じ状態になる。
【００３９】
本発明のいくつかの代替の実施形態では、第１の空気出口３１０と他の２つの空気出口の間の距離は、１つの空気出口の長さの１／７〜１／１０とすることができる。調整部において、遮蔽部及び循環部の数は２つである。２つの遮蔽部はそれぞれ第１の遮蔽部、第２の遮蔽部である。２つの循環部はそれぞれ第１の循環部、第２の循環部である。遮蔽部及び循環部は第１の軸方向端部の周方向、かつ時計回りの方向に沿って順次に間隔を空けて配置される。第１の遮蔽部は、１つの空気出口を完全に遮蔽するように構成される。第２の遮蔽部は、少なくとも２つの空気出口を完全に遮蔽し、例えば第２の遮蔽部は３つの空気出口と空気出口同士の周壁部の連結セグメントを遮蔽するように構成される。第１の循環部は、１つの空気出口を完全に露出させるように構成される。第２の循環部は、３つの空気出口を完全に露出させるように構成される。動作する場合に、調整部の回転によって異なる空気出口を開き状態にするし、例えば第１の遮蔽部は第１の空気出口３１０を遮蔽すると、空気出口１及び空気出口２は開き状態になり、また第１の循環部は第１の空気出口３１０を開放すると、空気出口１及び空気出口２は閉じ状態になる。本発明のいくつかの実施形態では、複数の空気出口の任意の２つの空気出口のサイズは等しくても等しくなくてもよい。
【００４０】
上記の詳細な説明は、本発明の実行可能な実施形態の単なる例示であり、本発明の保護範囲を限定することを意図するものではなく、本発明の精神を逸脱しない限り、実施形態に加えた等価な変更はすべて本発明の保護範囲に含まれる。
【図１】
0006882528.tif 000002
【図２】
0006882528.tif 000003
【図３】
0006882528.tif 000004
【図４】
0006882528.tif 000005